(57)【要約】【課題】陰茎の根元を弾性的に締め付けて、陰茎を勃起状態に維持する勃起補助リングを提供する。【解決手段】陰茎の根元に押し拡げた状態で挿入するための通口２を持つリング本体１が、シリコンゴム材で扁平な円環状に成形されている。前記通口２に臨むリング本体１の開口内周縁２ａには、陰茎の尿道の外側に添うＵ字状の凹み３が切り欠き形成されている。【選択図】図１
0003117747.tif 000002
【実用新案登録請求の範囲】
【請求項１】
陰茎の根元に挿入するための通口（２）を持つリング本体（１）が、弾性を有する合成樹脂材ないしゴム材で扁平な円環状に成形されており、
前記通口（２）に臨むリング本体（１）の開口内周縁（２ａ）の一箇所に、陰茎の尿道の外側に添わせるべきＵ字状の凹み（３）が切り欠き形成されていることを特徴とする陰茎の勃起補助リング。
【請求項２】
陰茎への装着時に、使用者の陰茎まわりの肌に当たるリング本体（１）の後面が、全周にわたって平坦面（５）に形成されており、
リング本体（１）の前面には、これの外周縁部から開口内周縁（２ａ）に向かって摺り鉢状に下り傾斜する円環状の傾斜面部（６）が、全周にわたって形成されている請求項１記載の陰茎の勃起補助リング。
【請求項３】
シリコンゴムからなるリング本体（１）に、血流を促進させる物質が配合されている請求項２記載の陰茎の勃起補助リング。
【請求項４】
リング本体（１）に、トルマリン粉末が３０〜４０重量％配合されており、
リング本体（１）のゴム硬度が、２５〜３５°に設定されている請求項２記載の陰茎の勃起補助リング。
【考案の詳細な説明】
【技術分野】
【０００１】
本考案は、陰茎（男性器）の根元に嵌合装着することにより、勃起した陰茎の根元を締め付けて陰茎を勃起状態に維持する勃起補助リングに関する。
【背景技術】
【０００２】
この種の陰茎用リングとして、これ自体の弾性を利用して陰茎の根元を適度に締め付ける形態は、特許文献１、２などに公知である。
【０００３】
【特許文献１】登録実用新案第３０８９１９７号公報
【特許文献２】特開２００５−１８５７９６号公報
【考案の開示】
【考案が解決しようとする課題】
【０００４】
しかし、従来の陰茎用リングは、とくに射精時に膨張した尿道を圧迫し過ぎて射精感を阻害したり、陰毛を巻き込んだりしていた。
【０００５】
そこで本考案の目的は、勃起した陰茎の根元を適度に締め付けて勃起状態を良好に維持しながら、良好な射精感が得られる陰茎の勃起補助リングを提供することにある。本考案の目的は、女性器側にもフィット感が良い陰茎の勃起補助リングを得るにある。本考案の目的は、陰茎の萎縮時に装着すれば、勃起をも促すことができる陰茎の勃起補助リングを得ることにある。
【課題を解決するための手段】
【０００６】
本考案に係る陰茎の勃起補助具は、図に示すごとく、陰茎の根元に挿入するための通口２を持つリング本体１が、弾性を有する合成樹脂材ないしゴム材で扁平な円環状に成形されており、前記通口２に臨むリング本体１の開口内周縁２ａの一箇所に、陰茎の尿道の外側に添わせるべきＵ字状の凹み３が切り欠き形成されていることを特徴とする。
【０００７】
陰茎への装着時に、使用者の陰茎まわりの肌に当たるリング本体１の後面は、全周にわたって平坦面５に形成されており、リング本体１の前面には、これの外周縁部から開口内周縁２ａに向かって摺り鉢状に下り傾斜する円環状の傾斜面部６が、全周にわたって形成されている。
【０００８】
リング本体１は、シリコンゴム製とし、これに血流を促進させる物質を配合することが望まれる。そのような血流促進物質としては、トルマリン粉末、ゲルマニウム粉末、マグネット粉末を挙げることができる。これら粉末は粒状でもよい。
【０００９】
より具体的には、シリコンゴム製のリング本体１に、トルマリン粉末が３０〜４０重量％配合されており、リング本体１のゴム硬度は、２５〜３５°に設定することができる。トルマリン粉末は、マイナスイオンないし遠赤外線を発生し、勃起不完全状態にある陰茎への血流を良好に促進するであろう。シリコンゴム製のリング本体１に対するトルマリン粉末の配合量は、初期の効果を得るために３０重量％以上とし、高価に付くため４０重量％以下に抑えるとよい。
【考案の効果】
【００１０】
請求項１記載の本案勃起補助具によれば、リング本体１の弾性復元力で陰茎の根元を確りと締め付けて血液の逆流を防ぐことにより、陰茎をよく勃起状態に維持できる。その際に、リング本体１に設けたＵ字状の凹み３は、陰茎の尿道に添うようになっているので、リング本体１が陰茎を強く締め付けても、尿道を圧迫し過ぎて傷めることがないし、良好な射精感を得ることができる。
【００１１】
請求項２記載の本案勃起補助具によれば、リング本体１の後面は平坦面５に仕上がっているので、使用者の陰茎まわりの肌に陰毛を巻き込むことはなく受け止められる。その一方で、リング本体１の前面に設けた円環状の傾斜面部６は、摺り鉢状に形成されているので、女性器側には優しくフィットし、この点でも使用に異和感を与えることがない。
【００１２】
請求項３記載の本案勃起補助具によれば、リング本体１が肌当たりの良いシリコンゴム製であって、血流促進物質を含んでいるので、装着使用者の陰茎の勃起を促す利点があり、勃起不全下で陰茎に装着して使用するに有利である。
【００１３】
更に請求項４記載の本案勃起補助具によれば、請求項３の効果に加えて、シリコンゴム製のリング本体１には、人体への有用性が確認されているトルマリン粉末が含まれているので、陰茎の勃起補助に効果的である。また、リング本体１のゴム硬度は、２５〜３５°に設定してあるので、勃起した陰茎に対するリング本体１の弾性復元力による締め付け力を有効に発揮させることができる。
【考案を実施するための最良の形態】
【００１４】
図面は本案勃起補助リングの実施例を示しており、符号１は中央に通口２をもつリング本体である。リング本体１は、適度な弾性を有するシリコンゴムで扁平な円環状に成形されている。リング本体１は、その外径寸法を５０mm、内径寸法すなわち通口２の直径寸法を約２５mmに設定した。したがって、リング本体１の環状部の径方向寸法は約１2.５mmである。
【００１５】
前記通口２に臨むリング本体１の開口内周縁２ａの一箇所には、装着時に下向きとなる部位に、Ｕ字状の凹み３が一体に切り欠き形成されている。凹み３の深さ寸法は約５mm、凹みの開口幅寸法（通口２に臨む周方向長さ）は約１０mmに設定した。
【００１６】
リング本体１は、シリコンゴムにマイナスイオン発生物質であるトルマリン粉末を３５重量％配合して射出成形し、約３０°のゴム硬度を有するものとした。
【００１７】
リング本体１の円形外周面は丸く突曲形成し、リング本体１の後面は全周にわたって平坦面５に形成する。リング本体１の前面には、これの外周縁部から開口内周縁２ａに向かって摺り鉢状に下り傾斜する円環状の傾斜面部６が、全周にわたって形成されている。
【００１８】
使用に際しては、リング本体１を手にして萎縮化した陰茎にこれの先端から根元までリング本体１を通口２を介して嵌合装着する。陰茎に対してリング本体１はこれの平坦な後面側から装着する。リング本体１には、トルマリン粉末が配合されているので、これから出るマイナスイオンが有効に作用し、理由は定かではないが、マイナスイオンの発生で陰茎の勃起が促される。
【００１９】
多くの場合、陰茎が勃起した状態において、リング本体１は通口２を押し拡げるよう弾性変形させながら陰茎の根元にまで前述の要領で嵌合装着する。これにて陰茎をリング本体１の弾性復元力で締め付けることにより、陰茎に充満した血液の逆流を阻止し、陰茎を勃起状態に維持する。
【００２０】
このとき、リング本体１は、前記凹み３が陰茎の尿道に添うよう装着しておく。これにて、リング本体１で陰茎の根元が確りと締め付けられているにもかかわらず、尿道が過剰に圧迫されることはない。したがって、とくに尿道が膨張しても射精に支障を来すことことがない。
【００２１】
性交時には、リング本体１の前面側が前記傾斜面部６を介して女性器側に優しくフィットして接する。
【図面の簡単な説明】
【００２２】
【図１】平面図
【図２】図１のＡ−Ａ線断面図
【図３】図１のＢ−Ｂ線断面図
【符号の説明】
【００２３】
１  リング本体
２  通口
２ａ  リング本体の開口内周縁
３  凹み
５  平坦面
６  傾斜面部
【図１】
0003117747.tif 000003
【図２】
0003117747.tif 000004
【図３】
0003117747.tif 000005